(57)【特許請求の範囲】
【請求項１】
外部に向かって開口した挿入口から手を抜き差しできる乾燥室と、前記乾燥室の底部の水受け部に向けて空気を吹き出すノズル部と、空気を吸込む吸気口と、前記吸気口から空気を吸気し前記ノズル部に空気を吹き出す送風手段と、前記送風手段から吹き出される空気を加熱する加熱手段とを備えた本体からなり、前記加熱手段は、ＰＴＣヒーターを左右から保持して１ユニットに形成された加熱部ユニットを複数加熱部保持部に納めて構成され、前記加熱部保持部は、前記送風手段から前記ノズル部の間に、前記複数の加熱部ユニットを、前記吹き出される空気が順次加熱されていく方向に配置して設けられることを特徴とする手乾燥装置。
【請求項２】
加熱部保持部にノズル部を設けることを特徴とする請求項１記載の手乾燥装置。
【請求項３】
複数の加熱部ユニットの左右を加熱部仮保持部により仮保持して、加熱部保持部に納める構成とすることを特徴とする請求項２記載の手乾燥装置。
【請求項４】
加熱部仮保持部に、複数の加熱部ユニットが互いにある距離毎になるよう配置する距離保持部を設けることを特徴とする請求項３記載の手乾燥装置。
【請求項５】
加熱部ユニットにリード線を接続する端子を左右どちらか一方側にまとめて設けたことを特徴とする請求項１〜４のいずれかに記載の手乾燥装置。
【請求項６】
加熱部ユニット毎に加熱有無を制御することを特徴とする請求項１〜５のいずれかに記載の手乾燥装置。
【請求項７】
加熱部ユニット毎に、加熱の容量に差を設けることを特徴とする請求項１〜６のいずれかに記載の手乾燥装置。
【請求項８】
本体に、吸気口に吸い込まれる空気の温度を検知する吸気空気温度検知手段と、前記吸気空気温度検知手段の検知した値により加熱部ユニット毎の加熱有無を制御する吸気空気温度制御手段とを設けることを特徴とする請求項１〜７のいずれかに記載の手乾燥装置。    
【請求項９】
本体に、ノズル部から吹き出される空気の温度を検知する吹出空気温度検知手段と、前記吹出空気温度検知手段の検知した値により加熱部ユニット毎の加熱有無を制御する吹出空気温度制御手段を設けることを特徴とする請求項１〜８のいずれかに記載の手乾燥装置。
【発明の詳細な説明】
【技術分野】
【０００１】
本発明は、洗面所やトイレなどで手を洗った後、濡れた手を乾燥させる手乾燥装置に関する。
【背景技術】
【０００２】
従来、この種の洗浄後の濡れた手を乾燥させる手乾燥装置として、高速温風により手に付着した水滴を吹き飛ばし乾燥させる手乾燥装置が知られている（例えば、特許文献１参照）。
【０００３】
以下、その手乾燥装置を、図７を参照しながら説明する。
【０００４】
本体ケース１０１は、前面と天面と両側面とを覆うフロントケース１０１Ａと、壁面側を覆うリアケース１０１Ｂとによって外装を形成している。本体ケース１０１の内部には、送風手段１０２と、この送風手段１０２と連通し送風空気を温風にする加熱手段１０３とその温風になった送風空気を吹き出す吹出しノズル１０４と、電装部品を制御する制御手段１０５を設けている。本体ケース１０１の下面には、吹出しノズル１０４の吹出口と、送風空気を本体ケース１０１内部に取り込む吸込み口１０６が設けられている。
【特許文献１】特許第３９７０７６２号公報（第１１頁、第１図）
【発明の開示】
【発明が解決しようとする課題】
【０００５】
このような従来の手乾燥装置では、高速温風で手を乾燥させる手乾燥装置において、高速温風の温度を高くするためには加熱部の熱量を大きくする、すなわち、高速風が通過する加熱部の通過面積を広くする必要があるが、単純に通過面積を広くすると手乾燥装置の本体をも必然的に大きくしなければならないという課題がある。
【０００６】
本発明は、このような従来の課題を解決するものであり、手乾燥装置の本体を大きくせずに加熱部の通過面積を広くし、高速温風の温度を高くする手乾燥装置を提供することを目的とする。
【課題を解決するための手段】
【０００７】
本発明の手乾燥装置は、上記目的を達成するために、外部に向かって開口した挿入口から手を抜き差しできる乾燥室と、前記乾燥室の底部の水受け部に向けて空気を吹き出すノズル部と、空気を吸込む吸気口と、前記吸気口から空気を吸気し前記ノズル部に空気を吹き出す送風手段と、前記送風手段から吹き出される空気を加熱する加熱手段とを備えた本体に、前記加熱手段に設けられている１ユニットの加熱部を前記送風手段から前記ノズル部の間に空気が吹き出される方向に複数のユニットを設けるものである。
【０００８】
また、他の手段は、複数の加熱部ユニットを保持する加熱部保持部を設け、前記加熱部保持部にノズル部を設けるものである。
【０００９】
また、他の手段は、複数の加熱部ユニットの左右に、前記加熱部を仮保持する加熱部仮保持部を設けるものである。
【００１０】
また、他の手段は、加熱部仮保持部を、複数の加熱部ユニットがある距離毎になるよう距離保持部を設けるものである。
【００１１】
また、他の手段は、加熱部ユニットにリード線を接続する端子を左右どちらか一方側にまとめて設けたものである。
【００１２】
また、他の手段は、加熱部の加熱有無を、加熱部ユニット毎に制御するものである。
【００１３】
また、他の手段は、加熱部ユニット毎に、加熱の容量に差を設けるものである。
【００１４】
また、他の手段は、本体に、吸気口に吸い込まれる空気の温度を検知する吸気空気温度検知手段と、前記吸気空気温度検知手段により加熱部ユニット毎の加熱有無を制御する吸気空気温度制御手段とを設けるものである。
【００１５】
また、他の手段は、本体に、ノズル部から吹き出される空気の温度を検知する吹出空気温度検知手段と、前記吹出空気温度検知手段により加熱部ユニット毎の加熱有無を制御する吹出空気温度制御手段を設けるものである。
【発明の効果】
【００１６】
本発明によれば、外部に向かって開口した挿入口から手を抜き差しできる乾燥室と、前記乾燥室の底部の水受け部に向けて空気を吹き出すノズル部と、空気を吸込む吸気口と、前記吸気口から空気を吸気し前記ノズル部に空気を吹き出す送風手段と、前記送風手段から吹き出される空気を加熱する加熱手段とを備えた本体からなり、前記加熱手段は、ＰＴＣヒーターを左右から保持して１ユニットに形成された加熱部ユニットを複数加熱部保持部に納めて構成され、前記加熱部保持部は、前記送風手段から前記ノズル部の間に、前記複数の加熱部ユニットを、前記吹き出される空気が順次加熱されていく方向に配置して設けられることにより、本体の前後方向（使用者の対面に対して）に高速風が通過する加熱部の通過面積を広くすることなく、通過面積を広くしてノズル部から吹き出される高速風の温度を高くすることができるという効果のある手乾燥装置を提供することができる。
【００１７】
また、複数の加熱部ユニットを納める加熱部保持部を設け、前記加熱部保持部にノズル部を設けることにより、加熱部を保持しつつ、ノズル部も設けられるので、部品点数を少なくすることができるという効果のある手乾燥装置を提供することができる。
【００１８】
また、複数の加熱部ユニットの左右を加熱部仮保持部により仮保持して、加熱部保持部に納める構成とすることにより、複数の加熱部を仮保持できるので、加熱部を加熱部保持部に設けやすくすることができるという効果のある手乾燥装置を提供することができる。
【００１９】
また、加熱部仮保持部に、複数の加熱部ユニットが互いにある距離毎になるよう配置する距離保持部を設けることにより、複数の加熱部をある距離毎に仮保持できるので、加熱部保持部に設けた際、ユニット毎の接触を防ぐことができるという効果のある手乾燥装置を提供することができる。
【００２０】
また、加熱部ユニットにリード線を接続する端子を左右どちらか一方側にまとめて設けたことにより、各加熱部ユニット端子に接続されているリード線の管理がしやすいという効果のある手乾燥装置を提供することができる。
【００２１】
また、加熱部ユニット毎に加熱有無を制御することにより、高速風の温風を、きめこまかく温度制御することができるという効果のある手乾燥装置を提供することができる。
【００２２】
また、加熱部ユニット毎に、加熱の容量に差を設けることにより、高速風の温風を、よりきめこまかく温度制御することができるという効果のある手乾燥装置を提供することができる。
【００２３】
また、本体に、吸気口に吸い込まれる空気の温度を検知する吸気空気温度検知手段と、前記吸気空気温度検知手段の検知した値により加熱部ユニット毎の加熱有無を制御する吸気空気温度制御手段とを設けることにより、使用者が加熱部の加熱の容量を設定することなく、吸気口に吸い込まれる空気の温度により自動的に加熱部の加熱の容量を設定し、ノズル部から吹き出される高速風の温度の調整を随時行うことができるという効果のある手乾燥装置を提供することができる。
【００２４】
また、本体に、ノズル部から吹き出される空気の温度を検知する吹出空気温度検知手段と、前記吹出空気温度検知手段の検知した値により加熱部ユニット毎の加熱有無を制御する吹出空気温度制御手段を設けることにより、使用者が加熱部の加熱容量を設定することなく、ノズル部からの吹き出される空気の温度により自動的に加熱部の加熱の容量を設定でき、ノズル部から吹き出される高速風の温度の調整を随時行うことができるという効果のある手乾燥装置を提供することができる。
【発明を実施するための最良の形態】
【００２５】
本発明の請求項１記載の手乾燥装置は、外部に向かって開口した挿入口から手を抜き差しできる乾燥室と、前記乾燥室の底部の水受け部に向けて空気を吹き出すノズル部と、空気を吸込む吸気口と、前記吸気口から空気を吸気し前記ノズル部に空気を吹き出す送風手段と、前記送風手段から吹き出される空気を加熱する加熱手段とを備えた本体からなり、前記加熱手段は、ＰＴＣヒーターを左右から保持して１ユニットに形成された加熱部ユニットを複数加熱部保持部に納めて構成され、前記加熱部保持部は、前記送風手段から前記ノズル部の間に、前記複数の加熱部ユニットを、前記吹き出される空気が順次加熱されていく方向に配置して設けられることとしたものであり、送風手段から吹き出される空気を、送風手段に近い方から加熱部で加熱し、その加熱された空気を次のユニットの加熱部により更に加熱し、送風手段から吹き出される空気の温度をあげ、ノズル部温風を吹き出すという作用を有する。
【００２６】
また、加熱部保持部にノズル部を設けることとしたものであり、加熱部保持部に複数の加熱部ユニットを設け、加熱部保持部にノズル部を設けるという作用を有する。
【００２７】
また、複数の加熱部ユニットの左右を加熱部仮保持部により仮保持して、加熱部保持部に納める構成とするものであり、加熱部仮保持部に、複数の加熱部の左右を取り付けるという作用を有する。
【００２８】
また、加熱部仮保持部に、複数の加熱部ユニットが互いにある距離毎になるよう配置する距離保持部を設けることとしたものであり、距離保持部を設けた加熱部仮保持部に、複数の加熱部の左右を取り付けるという作用を有する。
【００２９】
また、加熱部ユニットにリード線を接続する端子を左右どちらか一方側にまとめて設けたこととしたものであり、加熱部ユニットにリード線を接続する端子を左右どちらか一方側にまとめるという作用を有する。
【００３０】
また、加熱部ユニット毎に加熱有無を制御することとしたものであり、加熱部の加熱有無を、加熱部の各ユニット毎に制御するという作用を有する。
【００３１】
また、加熱部ユニット毎に、加熱の容量に差を設けることとしたものであり、各ユニット毎の加熱部の加熱容量に差を設けるという作用を有する。
【００３２】
また、本体に、吸気口に吸い込まれる空気の温度を検知する吸気空気温度検知手段と、前記吸気空気温度検知手段の検知した値により加熱部ユニット毎の加熱有無を制御する吸気空気温度制御手段とを設けることとしたものであり、吸気空気温度検知手段で吸気口に吸い込まれる空気の温度を検知し、その結果を吸気吸気温度制御手段に伝達し、複数のユニットの加熱部の加熱有無を制御するという作用を有する。
【００３３】
また、本体に、ノズル部から吹き出される空気の温度を検知する吹出空気温度検知手段と、前記吹出空気温度検知手段の検知した値により加熱部ユニット毎の加熱有無を制御する吹出空気温度制御手段を設けることとしたものであり、吹出空気温度検知手段でノズル部から吹き出される空気の温度を検知し、その結果を吹出空気温度検知手段に伝達し、複数のユニットの加熱部の加熱有無を制御するという作用を有する。
【００３４】
以下、本発明の実施の形態について、図面を参照しながら説明する。
【００３５】
（実施の形態１）
図１、図２に示すように、外部に向かって開口した挿入口から手を抜き差しできる乾燥室１と、乾燥室１の底部の水受け部２に向けて空気を吹き出すノズル部３と、空気を吸込む吸気口４と、吸気口４から乾燥室１内の空気を吸気しノズル部３に空気を吹き出す送風手段５と、送風手段５から吹き出される空気を加熱する加熱手段６を送風手段５とノズル部３との間に設けた本体７の上部内に、加熱手段６に設けられている１ユニットの加熱部ユニットＡ６ａあるいは加熱部ユニットＢ６ｂを、送風手段５からノズル部３の間に空気が吹き出される方向に複数の加熱部ユニットＡ６ａ、加熱部ユニットＢ６ｂを設ける（本実施の形態では、送風手段５に近い方の加熱部ユニットＡ６ａとノズル部３吹き出しに近い方の加熱部ユニットＢ６ｂの２ユニットを示す。）。加熱手段６は、温度立ち上がりの良いＰＴＣヒーターを使用する。加熱部ユニットＡ６ａ、加熱部ユニットＢ６ｂは、ある距離毎になるように距離保持部８が設けられた加熱部仮保持部９により加熱部ユニットＡ６ａ、加熱部ユニットＢ６ｂを左右から仮保持し、加熱部ユニットＡ６ａ、加熱部ユニットＢ６ｂにリード線１６を接続する端子１７を加熱部ユニットＡ６ａ、加熱部ユニットＢ６ｂの左右のどちらか一方側にまとめ、加熱部仮保持部９に仮保持された加熱部ユニットＡ６ａ、加熱部ユニットＢ６ｂを、ノズル部３を設けた加熱部保持部１０に納める構成とする。
【００３６】
また、加熱部ユニットＡ６ａ、加熱部ユニットＢ６ｂは、各加熱部ユニットＡ６ａ、加熱部ユニットＢ６ｂ毎に、加熱有無を制御する制御手段１１ａに接続された構成とする。
【００３７】
上記構成により、加熱部ユニットＡ６ａ、加熱部ユニットＢ６ｂがある距離毎になるように距離保持部８が設けられた加熱部仮保持部９により左右から仮保持し、加熱部ユニットＡ６ａ、加熱部ユニットＢ６ｂにリード線１６を接続する端子１７を左右のどちらか一方側にまとめて設け、距離保持部８と加熱部仮保持部９に仮保持した加熱部ユニットＡ６ａ、加熱部ユニットＢ６ｂを、ノズル部３を設けた加熱部保持部１０に納め、送風手段５から吹き出される空気を、送風手段５に近い方の加熱部ユニットＡ６ａでまず加熱し、その次に、その加熱された空気を次の加熱部ユニットＢ６ｂにより更に加熱し、送風手段５から吹き出される空気の温度をあげ、ノズル部３から温風を吹き出す。
【００３８】
また、各加熱部ユニットＡ６ａ、加熱部ユニットＢ６ｂ毎に加熱の有無を制御する制御手段１１ａにより、送風手段５から吹き出される空気を、加熱部ユニットＡ６ａのみで加熱、または、加熱部ユニットＢ６ｂのみで加熱できるように、送風手段５から吹き出される空気の温度を調整して、ノズル部３から目的とする温風を吹き出す。
【００３９】
なお、加熱部ユニットＡ６ａ、加熱部ユニットＢ６ｂでの加熱を行わずに、送風手段５から吹き出される空気の温度を上げずに、ノズル部３から送風を吹き出すようにもできる。
【００４０】
このように、本発明の実施の形態１の手乾燥装置によれば、本体の前後方向（使用者に対面に対して）に高速風が通過する加熱部の通過面積を広くすることなく、ノズル部と送風手段との間で加熱手段の通過面積を広くして、ノズル部３から吹き出される高速風の温度を高くでき、また、前後方向（使用者に対面に対して）に高速風が通過する加熱部の通過面積が広くないため、送風手段５から吹き出される空気を均等に加熱手段６に送る整流部分を送風手段５と過熱手段６間で小さくでき、および、加熱手段６からスリット状のノズル部３間の整流部分も小さくすることができる。
【００４１】
また、距離保持部８が設けられた加熱部仮保持部９により、加熱部ユニットＡ６ａ、加熱部ユニットＢ６ｂがお互いに接触することなくある距離を保ちつつ、容易に加熱部保持部１０に加熱ユニットＡ６ａ、加熱部ユニットＢ６ｂを納めることができ、さらに、加熱ユニット７ａ・７ｂの端子に接続されているリード線１６が左右どちらか一方になっているのでの管理が容易にできる。
【００４２】
また、加熱部保持部１０にノズル部３を設けているので、加熱部ユニットＡ６ａ、加熱部ユニットＢ６ｂを保持するとともに、部品点数を少なくでき、送風手段５からノズル部３までの勘合点も少なくなり空気漏れも低減することができる。
【００４３】
また、各加熱部ユニットＡ６ａ、加熱部ユニットＢ６ｂ毎に加熱の有無を制御する制御手段１１ａにより、高速風の温風を、高温風・低温風・送風ときめこまかく温度制御することができる。
【００４４】
なお、加熱部仮保持部９の加熱部ユニットＡ６ａ、加熱部ユニットＢ６ｂの端子１７側を加熱部ユニットＡ６ａ、加熱部ユニットＢ６ｂの数を減じた時に生じる端子１７の孔からの空気漏れを塞いだ構造に変更することで、加熱部ユニットＡ６ａ、加熱部ユニットＢ６ｂを減じて（加熱部ユニットＡ６ａまたは加熱部ユニットＢ６ｂのみ）、安価にした手乾燥装置を供給することもできる。
【００４５】
（実施の形態２）
図３、図４において、加熱部ユニットＡ６ａ、加熱部ユニットＢ６ｂは、加熱部ユニットＡ６ａ、加熱部ユニットＢ６ｂ毎に加熱の容量に差を設け、各加熱部ユニットＡ６ａ、加熱部ユニットＢ６ｂ毎に加熱の容量を制御する制御手段１１ｂに接続された構成とし、例えば、（加熱部ユニットＡ６ａ）＞（加熱部ユニットＢ６ｂ）の加熱の容量とする点である。  図３、図４において、図１、図２と同じ構成要素については同じ符号を用い、その説明を省略する。
【００４６】
上記構成により、送風手段５から吹き出される空気を、加熱部ユニットＡ６ａ、および、加熱部ユニットＢ６ｂで加熱、あるいは、加熱部ユニットＡ６ａのみで加熱、あるいは、加熱部ユニットＢ６ｂのみで加熱するのいずれかで加熱を行い、ノズル部３から温風を吹き出す。または、加熱部ユニットＡ６ａ、加熱部ユニットＢ６ｂでの加熱を行わずに、ノズル部３から送風を吹き出す。
【００４７】
このように本発明の実施の形態２の手乾燥装置によれば、高速風の温風を、高温の風、中温の風、低温の風、送風と、よりきめこまかく温度制御することができる。
【００４８】
（実施の形態３）
図５において、実施の形態２と異なるところは、本体７に、吸気口４に吸い込まれる空気の温度を検知する吸気空気温度検知手段１２と、加熱部ユニットＡ６ａ、加熱部ユニットＢ６ｂ毎に加熱の容量に差を設け、各加熱部ユニットＡ６ａ、加熱部ユニットＢ６ｂ毎に加熱の容量を吸気空気温度検知手段１２の値により、加熱部ユニットＡ６ａ、加熱部ユニットＢ６ｂの加熱の容量を制御する吸気空気温度制御手段１３に接続された構成とし、例えば、（加熱部ユニットＡ６ａ）＞（加熱部ユニットＢ６ｂ）の加熱容量とする点である。図５において、図３と同じ構成要素については同じ符号を用い、その説明を省略する。
【００４９】
上記構成により、吸気空気温度検知手段１２で吸気口４に吸い込まれる空気の温度を検知し、その結果を吸気吸気温度制御手段１３に伝達し、各加熱部ユニットＡ６ａ、加熱部ユニットＢ６ｂの加熱の容量を制御する。例えば、吸気空気温度検知手段１２で吸気口４に吸い込まれる空気の温度が低温の場合、各加熱部ユニットＡ６ａ、加熱部ユニットＢ６ｂの加熱有とし、吸気口４に吸い込まれる空気の温度が中低温の場合、加熱部ユニットＡ６ａの加熱有とし、吸気口４に吸い込まれる空気の温度が中温の場合、加熱部ユニットＢ６ｂの加熱有とし、吸気口４に吸い込まれる空気の温度が高温の場合、加熱部ユニットＡ６ａ、加熱部ユニットＢ６ｂの加熱無しとする。
【００５０】
このように本発明の実施の形態３の手乾燥装置によれば、使用者が加熱部の加熱容量を設定することなく、吸気口に吸い込まれる空気の温度により自動的に加熱部の加熱容量を設定し、ノズル部から吹き出される高速風の温度の調整を随時行うことができることとなる。
【００５１】
（実施の形態４）
図６において、実施の形態２と異なるところは、本体７に、ノズル部３から吹き出される空気の温度を検知する吹出空気温度検知手段１４と、加熱部ユニットＡ６ａ、加熱部ユニットＢ６ｂ毎に加熱の容量に差を設け、各加熱部ユニットＡ６ａ、加熱部ユニットＢ６ｂ毎に加熱の容量を吹出空気温度検知手段１４の値により制御する吹出空気温度制御手段１５に接続された構成とする。例えば、（加熱部ユニットＡ６ａ）＞（加熱部ユニットＢ６ｂ）の加熱容量とする。
【００５２】
上記構成により、吹出空気温度検知手段１４でノズル部３から吹き出される空気の温度を検知し、その結果を吹出空気温度検知手段１４に伝達し、各加熱部ユニットＡ６ａ、加熱部ユニットＢ６ｂの加熱有無を制御する。例えば、吹出空気温度検知手段１４でノズル部３から吹き出される空気の温度が低温の場合、各加熱部ユニットＡ６ａ、加熱部ユニットＢ６ｂの加熱有とし、ノズル部３から吹き出される空気の温度が中低温の場合、加熱部ユニットＡ６ａの加熱有とし、ノズル部３から吹き出される空気の温度が中温の場合、加熱部ユニットＢ６ｂの加熱有とし、ノズル部３から吹き出される空気の温度が高温の場合、加熱部ユニットＡ６ａ、加熱部ユニットＢ６ｂの加熱無しとする。
【００５３】
このように本発明の実施の形態４の手乾燥装置によれば、使用者が加熱部の加熱容量を設定することなく、ノズル部３からの吹き出される空気の温度により自動的に加熱部の加熱容量を設定でき、ノズル部３から吹き出される高速風の温度の調整を随時行うことができることとなる。
【産業上の利用可能性】
【００５４】
本発明の手乾燥装置は、レストランやホテルなどの洗面所やトイレに設置され、また病院の手術室や調理場においても適用できる。
【図面の簡単な説明】
【００５５】
【図１】本発明の実施の形態１の手乾燥装置の側構成図
【図２】同手乾燥装置の加熱部保持部の周囲の正面図
【図３】本発明の実施の形態２の手乾燥装置の側構成図
【図４】同手乾燥装置の加熱部保持部の周囲の正面図
【図５】本発明の実施の形態３の手乾燥装置の側構成図
【図６】本発明の実施の形態４の手乾燥装置の側構成図
【図７】従来の手乾燥装置の側構成図
【符号の説明】
【００５６】
１    乾燥室
２    水受け部
３    ノズル部
４    吸気口
５    送風手段
６    加熱手段
６ａ  加熱部ユニットＡ
６ｂ  加熱部ユニットＢ
７    本体
８    距離保持部
９    加熱部仮保持部
１０  加熱部保持部
１１  制御手段
１２  吸気空気温度検知手段
１３  吸気空気温度制御手段
１４  吹出空気温度検知手段
１５  吹出空気温度制御手段
【図１】
0004333790.tif 000002
【図２】
0004333790.tif 000003
【図３】
0004333790.tif 000004
【図４】
0004333790.tif 000005
【図５】
0004333790.tif 000006
【図６】
0004333790.tif 000007
【図７】
0004333790.tif 000008